(57)【要約】【課題】開口部を簡単に拡大して、内容物を容易に取り出すことができるラップラウンド箱を提供する。【解決手段】各一対の平面板１及び側面板２を交互に連設して内容物を包み込み、一方の平面板１の切断縁に臨む外側部裏面と、他方の側面板２の外側縁から延びる継代片３とを貼り合わせて周壁を形成し、各側面板２の端縁から延びる内フラップ４と、各平面板１の端縁から延びる外フラップ５とを貼り合わせて封緘すると共に、一方の平面板１に、継代片３に重なる切断縁から周壁の一端の対角へかけて斜開線６を入れておき、端面から開封する際、斜開線６に沿って平面板１を外側へ折り曲げるようにした段ボール製ラップラウンド箱において、前記一方の平面板１と継代片３とを、周壁の一端から斜開線６までの間の部分を除いた部分で貼り合わせる。【選択図】図３
2006306461.tif 000002
【特許請求の範囲】
【請求項１】
各一対の平面板１及び側面板２を交互に連設して内容物を包み込み、一方の平面板１の切断縁に臨む外側部裏面と、他方の側面板２の外側縁から延びる継代片３とを貼り合わせて周壁を形成し、各側面板２の端縁から延びる内フラップ４と、各平面板１の端縁から延びる外フラップ５とを貼り合わせて封緘すると共に、一方の平面板１に、継代片３に重なる切断縁から周壁の一端の対角へかけて斜開線６を入れておき、端面から開封する際、斜開線６に沿って平面板１を外側へ折り曲げるようにした段ボール製ラップラウンド箱において、前記一方の平面板１と継代片３とを、周壁の一端から斜開線６までの間の部分を除いた部分で貼り合わせたことを特徴とするラップラウンド箱。
【発明の詳細な説明】
【技術分野】
【０００１】
この発明は、飲料缶等の集合包装に使用する段ボール製ラップラウンド箱に関するものである。
【背景技術】
【０００２】
一般に、ビール等の飲料缶を集合包装するラップラウンド箱には、横置きにした状態でトレー状に分割して開封できるように、カットテープ等の引裂帯が設けられているが、家庭で開封する際には、飲料缶を必要分だけ取り出して、残存分を嵩張ることなく保管しておくため、縦置きにした状態で、上方となった端面から開封する場合が多い。
【０００３】
このとき、開口部を拡大して、飲料缶を容易に取り出せるようにするため、下記特許文献１においては、周壁を形成する一方の平面板に、継代片に重なる切断縁から対角へかけて斜開線を入れておき、端面から開封する際、斜開線に沿って平面板を外側へ折り曲げるようにしたものが提案されている。
【０００４】
【特許文献１】特開２００１−３５４２３１号公報
【発明の開示】
【発明が解決しようとする課題】
【０００５】
しかしながら、上記のようなラップラウンド箱では、平面板と継代片とを貼り合わせるホットメルト接着剤を、継代片の全長に亘って点在するように塗布しているため、平面板を斜開線に沿って折り曲げる際、継代片から剥がしにくいという問題がある。
【０００６】
そこで、この発明は、開口部を簡単に拡大して、内容物を容易に取り出すことができるラップラウンド箱を提供することを課題とする。
【課題を解決するための手段】
【０００７】
上記のような課題を解決するため、この発明は、各一対の平面板及び側面板を交互に連設して内容物を包み込み、一方の平面板の切断縁に臨む外側部裏面と、他方の側面板の外側縁から延びる継代片とを貼り合わせて周壁を形成し、各側面板の端縁から延びる内フラップと、各平面板の端縁から延びる外フラップとを貼り合わせて封緘すると共に、一方の平面板に、継代片に重なる切断縁から周壁の一端の対角へかけて斜開線を入れておき、端面から開封する際、斜開線に沿って平面板を外側へ折り曲げるようにした段ボール製ラップラウンド箱において、前記一方の平面板と継代片とを、周壁の一端から斜開線までの間の部分を除いた部分で貼り合わせたのである。
【発明の効果】
【０００８】
このラップラウンド箱では、外フラップを内フラップから剥がすと、継代片から平面板を簡単に分離することができ、平面板を斜開線沿いに折り曲げて、開口部を拡大した状態で、内容物を容易に取り出すことができる。
【発明を実施するための最良の形態】
【０００９】
以下、この発明の実施形態を添付図面に基づいて説明する。
【００１０】
このラップラウンド箱の段ボール製ブランクでは、図１に示すように、各一対の平面板１と側面板２とが交互に連設され、一方の平面板１の外側部は、ブランク外周の切断縁に臨み、他方の側面板２の外側縁には、継代片３が連設されている。各側面板２の端縁には内フラップ４が連設され、各平面板１の端縁には外フラップ５が連設されている。
【００１１】
一方の平面板１には、外側の切断縁の途中から一端の対角へかけて、押罫による斜開線６が入れられている。また、側面板２及び内フラップ４の裏面には、横置き時の開封に使用するカットテープ７が連続して貼着され、その中間部には、摘み部８が切目を入れて形成されている。
【００１２】
このブランクを組み立てて、図２に示すように、数本の缶ＣをまとめたマルチパックＭを包装する際には、各一対の平面板１及び側面板２を角筒状に折り曲げて、マルチパックＭを包み込み、一方の平面板１の切断縁に臨む外側部裏面と継代片３とを、貼着部ａで貼り合わせて周壁を形成し、内フラップ４及び外フラップ５を順次折り曲げ、貼着部ｂで貼り合わせて封緘する。
【００１３】
このとき、平面板１と継代片３とを貼り合わせる貼着部ａは、周壁の一端（図２では下端）から斜開線６までの間の部分を除いた部分に間隔をおいて２箇所程度配置し、この部分にホットメルト接着剤を塗布する。また、貼着部ｂは、内フラップ４及び外フラップ５の角部端縁からやや離れた位置に配置し、この部分にホットメルト接着剤を塗布する。
【００１４】
このようなラップラウンド箱からマルチパックＭを取り出す際には、周壁の他端を上方にして、ラップラウンド箱を縦置きにし、図３に示すように、上方の内フラップ４と外フラップ５の貼着部ｂを剥がして、上面を開口させ、次いで、継代片３と平面板１の貼着部ａを剥がして、この平面板１を斜開線６に沿って膨らませるように外側へ折り曲げる。
【００１５】
このとき、斜開線６の下方には貼着部ａが存在せず、また、継代片３と平面板１の貼着部ａは少数であることから、継代片３から平面板１を簡単に分離することができ、飲料缶ＣがマルチパックＭで包装されていても、開口部を拡大した状態で、上下段のマルチパックＭを容易に取り出すことができる。
【００１６】
また、台所等の狭いスペースにラップラウンド箱を保管している場合でも、折り曲げた平面板１と継代片３の隙間に手を入れて、マルチパックＭの指穴に指を掛けることができるので、ラップラウンド箱を広い場所に移動させることなく、マルチパックＭを取り出すことができる。
【００１７】
なお、上記実施形態では、側面板２と内フラップ４の稜部や平面板１と側面板２の稜部が角張ったものを示したが、これらの稜部に面取りが施されたラップラウンド箱においても、貼着部ａを上記のように配置して、同様の効果を得ることができる。
【図面の簡単な説明】
【００１８】
【図１】この発明の実施形態に係るラップラウンド箱のブランクを示す図
【図２】同上のラップラウンド箱の封緘状態を示す斜視図
【図３】同上のラップラウンド箱の開封状態を示す斜視図
【符号の説明】
【００１９】
１  平面板
２  側面板
３  継代片
４  内フラップ
５  外フラップ
６  斜開線
７  カットテープ
８  摘み部
ａ，ｂ  貼着部
【図１】
2006306461.tif 000003
【図２】
2006306461.tif 000004
【図３】
2006306461.tif 000005